(57)【要約】【課題】  移動体通信システムにおいて、任意のユーザ移動体端末の呼び出しの要求があった場合に、ＢＴＳから送信されるPaging信号の数を低減させ、Paging信号を送信する位置登録サーバやＢＴＳの負担を軽減できる位置登録装置、移動体通信システム、および移動体端末呼び出し方法を提供することである。【解決手段】  小型ＢＴＳの使用が予め許可されたユーザ移動体端末を呼び出す呼び出し要求信号が入力された場合、位置登録サーバ１が、小型ＢＴＳ収容情報記憶部１２４に当該ユーザ移動体端末と関連付けられた小型ＢＴＳの識別子情報が記憶されているか否かを検出し、小型ＢＴＳ収容情報記憶部１２４の記憶情報において小型ＢＴＳの小型セル内に存在していると判断された場合、該当する小型ＢＴＳにのみPaging信号を送信する。【選択図】  図３
2010166427.tif 000002
【特許請求の範囲】
【請求項１】
第１のエリアに存在する不特定のユーザ移動体端末と無線通信を行う複数の第１の無線基地局、および、第２のエリアに存在する特定のユーザ移動体端末と無線通信を行う複数の第２の無線基地局とネットワークを介して接続されるインタフェースと、
前記インタフェースを介して、任意のユーザ移動体端末を呼び出す呼び出し要求信号を受信する呼び出し要求受信部と、
前記ユーザ移動体端末から前記インタフェースを介して受信した位置登録信号に含まれる報知情報に基づき、前記第１のエリアと前記第２のエリアを含む位置登録エリアから、前記位置登録信号を送信する前記ユーザ移動体端末の識別子情報を記憶する位置登録エリア記憶部と、
前記第２の無線基地局の識別子情報と、当該第２の無線基地局と無線通信を行う前記特定のユーザ移動体端末の識別子情報とを関連付けて記憶する第２の無線基地局収容情報記憶部と、
前記呼び出し要求受信部が前記呼び出し要求信号を受信した場合、前記呼び出し要求信号によって呼び出しが要求されている任意のユーザ移動体端末の識別子情報が、前記位置登録エリア記憶部に記憶されているか否かを判断し、前記位置登録エリア記憶部に記憶されている場合、当該ユーザ移動体端末の識別子情報が前記第２の無線基地局収容情報記憶部に記憶されているか否かを判断し、前記第２の無線基地局収容情報記憶部に当該ユーザ移動体端末の識別子情報が記憶されている場合、関連づけられている前記第２の無線基地局に当該任意のユーザ移動体端末を呼び出す呼び出し信号を送信する呼び出し信号送信部と、
を備えることを特徴とする位置登録装置。
【請求項２】
前記呼び出し信号送信部は、
前記第２の無線基地局収容情報記憶部に、前記呼び出し要求信号によって呼び出しが要求されている任意のユーザ移動体端末の識別子情報が記憶されていない場合、前記第１の無線基地局の全てに対して当該ユーザ移動体端末を呼び出す呼び出し信号を送信することを特徴とする請求項１に記載の位置登録装置。
【請求項３】
前記呼び出し信号送信部は、
前記第２の無線基地局収容情報記憶部に、前記呼び出し要求信号によって呼び出しが要求されている任意のユーザ移動体端末の識別子情報が記憶されている場合、関連づけられている前記第２の無線基地局に当該任意のユーザ移動体端末を呼び出す呼び出し信号を送信すると共に、前記第１の無線基地局の全てに対して当該ユーザ移動体端末を呼び出す呼び出し信号を送信することを特徴とする請求項１に記載の位置登録装置。
【請求項４】
前記第２のエリアは、前記特定のユーザ移動体端末がよく存在する場所であって、
前記第２の無線基地局は、前記第２のエリアが指定され、予め使用が許可された特定のユーザ移動体端末とのみ、無線通信を行うことを特徴とする請求項１に記載の位置登録装置。
【請求項５】
第１のエリアに存在する不特定のユーザ移動体端末と無線通信を行う複数の第１の無線基地局と、
第２のエリアに存在する特定のユーザ移動体端末と無線通信を行う複数の第２の無線基地局と、
前記第１の無線基地局および前記第２の無線基地局とネットワークを介して接続される位置登録装置とを備え、
前記位置登録装置は、
前記第１の無線基地局および前記第２の無線基地局と前記ネットワークを介して接続されるインタフェースと、
前記インタフェースを介して、任意のユーザ移動体端末を呼び出す呼び出し要求信号を受信する呼び出し要求受信部と、
前記ユーザ移動体端末から前記インタフェースを介して受信した位置登録信号に含まれる報知情報に基づき、前記第１のエリアと前記第２のエリアを含む位置登録エリアから、前記位置登録信号を送信する前記ユーザ移動体端末の識別子情報を記憶する位置登録エリア記憶部と、
前記第２の無線基地局の識別子情報と、当該第２の無線基地局と無線通信を行う前記特定のユーザ移動体端末の識別子情報とを関連付けて記憶する第２の無線基地局収容情報記憶部と、
前記呼び出し要求受信部が前記呼び出し要求信号を受信した場合、前記呼び出し要求信号によって呼び出しが要求されている任意のユーザ移動体端末の識別子情報が、前記位置登録エリア記憶部に記憶されているか否かを判断し、前記位置登録エリア記憶部に記憶されている場合、当該ユーザ移動体端末の識別子情報が前記第２の無線基地局収容情報記憶部に記憶されているか否かを判断し、前記第２の無線基地局収容情報記憶部に当該ユーザ移動体端末の識別子情報が記憶されている場合、関連づけられている前記第２の無線基地局に当該任意のユーザ移動体端末を呼び出す呼び出し信号を送信する呼び出し信号送信部と、
を備えることを特徴とする移動体通信システム。
【請求項６】
第１のエリアに存在する不特定のユーザ移動体端末と無線通信を行う複数の第１の無線基地局と、第２のエリアに存在する特定のユーザ移動体端末と無線通信を行う複数の第２の無線基地局と、ネットワークを介して接続される位置登録装置における移動体端末呼び出し方法において、
前記位置登録装置の呼び出し要求受信部は、
任意のユーザ移動体端末を呼び出す呼び出し要求信号を受信し、
前記位置登録装置の位置登録エリア記憶部は、
前記ユーザ移動体端末から受信した位置登録信号に含まれる報知情報に基づき、前記第１のエリアと前記第２のエリアを含む位置登録エリアから、前記位置登録信号を送信する前記ユーザ移動体端末の識別子情報を記憶し、
前記位置登録装置の第２の無線基地局収容情報記憶部は、
前記第２の無線基地局の識別子情報と、当該第２の無線基地局と無線通信を行う前記特定のユーザ移動体端末の識別子情報とを関連付けて記憶し、
前記位置登録装置の前記呼び出し信号送受信部は、
前記呼び出し要求受信部が前記呼び出し要求信号を受信した場合、前記呼び出し要求信号によって呼び出しが要求されている任意のユーザ移動体端末の識別子情報が、前記位置登録エリア記憶部に記憶されているか否かを判断し、前記位置登録エリア記憶部に記憶されている場合、当該ユーザ移動体端末の識別子情報が前記第２の無線基地局収容情報記憶部に記憶されているか否かを判断し、前記第２の無線基地局収容情報記憶部に当該ユーザ移動体端末の識別子情報が記憶されている場合、関連づけられている前記第２の無線基地局に当該任意のユーザ移動体端末を呼び出す呼び出し信号を送信する
ことを特徴とする移動体端末呼び出し方法。
【発明の詳細な説明】
【技術分野】
【０００１】
本発明は、移動体通信システムにおいて、特に、複数の無線基地局に対して、これら無線基地局が無線通信を行うエリア内に存在するユーザ移動体端末に送信する呼び出し信号を提供する位置登録装置、移動体通信システム、および移動体端末呼び出し方法に関する。
【背景技術】
【０００２】
近年、携帯電話に代表されるようなユーザ移動体端末の普及により、ユーザ移動体端末の無線通信を管理する移動体通信システムは、今日の情報化社会において欠かすことのできない情報伝達手段となっている。この移動体通信システムは、無線基地局が、電波の届く範囲である位置登録エリア内に存在する任意のユーザ移動体端末に呼び出し信号を送信し、呼び出し信号において指定されているユーザ移動体端末が、呼び出し信号に対する応答信号を送信してきた場合、当該ユーザ移動体端末と、呼び出しを要求した通信端末との無線通信を確保する。
また、無線基地局は、自身の位置登録エリア内に存在しているユーザ移動体端末を把握するため、無線基地局ごとに固有の報知情報を自身の位置登録エリア内のユーザ移動体端末に送信し、ユーザ移動体端末から報知情報を含む位置登録情報を受信することによって、位置登録エリア内に存在するユーザ移動体端末の位置を把握している。例えば、このユーザ移動体端末から送信される位置登録情報を記憶部に記憶し、ユーザ移動体端末の位置を管理する位置登録サーバが、移動体通信システムにおいて利用されている。
ユーザ移動体端末は、他の無線基地局が管理する位置登録エリア間を移動するため、位置登録サーバで管理している位置登録エリアに呼び出し信号を送信しても、ユーザ移動体端末が既にそこには存在しないため、ユーザ移動体端末に呼び出し信号を送信することができない場合がある。
【０００３】
このように複数の無線基地局間を移動するユーザ移動体端末の通信を確保する移動体通信システムとして、図１３、１４に示すような移動体通信システムがある。
図１３に示す通り、一の移動体通信システムは、位置登録サーバ１００１が、ネットワーク１００５を介して複数のＢＴＳ（無線基地局）制御装置１０１２、１０２２と接続され、ＢＴＳ制御装置１０１２、１０２２は、それぞれ、複数のＢＴＳ１０１３、１０２３と接続されている。ＢＴＳ１０１３、１０２３は、それぞれ、位置登録エリアＡ、Ｂに電波を発信し、位置登録エリアＡ、Ｂ内の複数のセル１００７に存在するユーザ移動体端末と無線通信を行う。ＢＴＳ１０１３は、位置登録エリアＡのセル１００７内にあるユーザ移動体端末に対して、報知情報Ａを送信し、ＢＴＳ１０２３は、位置登録エリアＢのセル１００７内にあるユーザ移動体端末に対して、報知情報Ｂを送信する。これにより、位置登録エリアＡ、Ｂに存在するユーザ移動体端末は、報知情報Ａ、Ｂを含む位置登録情報を送信し、位置登録サーバ１００１は、この位置登録情報に基づき、ユーザ移動体端末の位置を把握することができる。
【０００４】
例えば、ユーザ移動体端末１００８が位置登録エリアＡにある場合、ユーザ移動体端末１００８は、ＢＴＳ１０１３から報知情報Ａを受信し、自身の位置を位置登録サーバ１００１に通知するため、報知情報Ａを付与した位置登録情報をＢＴＳ１０１３に送信する。これにより、ＢＴＳ１０１３は、ネットワーク５を介して、ユーザ移動体端末からの位置登録情報を位置登録サーバ１００１に送信し、位置登録サーバ１００１は、ユーザ移動体端末の位置を把握する。
また、ユーザ移動体端末１００８が、位置登録エリアＡから位置登録エリアＢに移動した場合、ユーザ移動体端末１００８は、ＢＴＳ１０２３から報知情報Ｂを受信し、報知情報Ｂを付与した位置登録情報をＢＴＳ１０２３に送信する。これにより、ＢＴＳ１０２３は、ネットワーク５を介して位置登録サーバ１００１に位置登録情報を送信し、位置登録サーバ１００１は、ユーザ移動体端末が位置登録エリアＡから位置登録エリアＢに移動したことを把握する。
【０００５】
また、図１４に示す通り、他の移動体通信システムは、位置登録サーバ１０５１が、ネットワーク１０５５を介してＢＴＳ制御装置１０５２と接続され、ＢＴＳ制御装置１０５２は、複数のマクロＢＴＳ１０５３および複数の小型ＢＴＳ１０５４と接続されている。複数のマクロＢＴＳ１０５３および複数の小型ＢＴＳ１０５４は、位置登録エリアＣ内にあるユーザ移動体端末と無線通信を行う。ここで、小型ＢＴＳ１０５４とは、予め使用が許可されている特定のユーザ移動体端末と無線通信を行う無線基地局であって、マクロＢＴＳ１０５３は、不特定のユーザ移動体端末と無線通信を行う無線基地局である。
【０００６】
図１３、１４に示すような移動体通信システムにおいて、位置登録サーバ１００１、１０５１は、任意の通信端末から、所定のユーザ移動体端末との無線通信を要求する呼び出し要求信号を受信すると、当該ユーザ移動体端末との無線通信を確保するため、ユーザ移動体端末から送信される位置登録情報に基づき、位置登録エリアのユーザ移動体端末に対して呼び出し信号（Paging信号）を送信する。位置登録サーバ１００１、１０５１は、Paging信号をそれぞれが管理する位置登録エリア内のセルに送信し、このPaging信号において指定されているユーザ移動体端末が、Paging信号に対する応答信号を送信してきた場合、当該ユーザ移動体端末と、呼び出しを要求した通信端末との無線通信を確保する。
【０００７】
このような移動体通信システムにおいて、複数のＢＴＳの電波の届く範囲であるセル（呼出エリア）と、複数の呼出エリアを含む位置登録エリアとを、ＢＴＳごとに関連付けて記憶する移動通信の位置情報管理方法がある（特許文献１参照）。
また、各ＢＴＳが提供する個別通話エリアと、複数の個別通話エリアで構成される呼出エリアと、複数の呼出エリアで構成される高出力呼出エリアとを備える移動体通信システムであって、ユーザ移動体端末の位置登録情報が記憶されている記憶部（ホームロケーションレジスタ）を参照して、呼出エリアにPaging信号を送信する。このとき、ユーザ移動体端末が異なる呼出エリアに移動している場合、位置登録サーバ（移動体通信交換局）は、所定に時間内に呼び出し応答信号を受信できず、ユーザ移動体端末の呼び出しに失敗したと判断し、この呼出エリアを複数含む位置登録エリアに対してPaging信号を送信する移動体通信システムがある（特許文献２参照）。
【先行技術文献】
【特許文献】
【０００８】
【特許文献１】特開平７−１６２９４７号公報
【特許文献２】特開平１０−５１８４６号公報
【発明の概要】
【発明が解決しようとする課題】
【０００９】
しかしながら、図１４に示した小型ＢＴＳ１０５４のように、特定のユーザ移動体端末のみと無線通信を確保する無線基地局を備える移動体通信システムにおいて、位置登録サーバ１０５１は、位置登録エリア内に存在する不特定多数のユーザ移動体端末と無線通信が可能なマクロＢＴＳ１０５３のマクロセルに加え、小型ＢＴＳ１０５４の小型セルに対しても、Paging信号を送信しなければならない。このため、Paging信号の数が増加し、位置登録サーバ１０５１、ＢＴＳ制御装置１０５２、マクロＢＴＳ１０５３および小型ＢＴＳ１０５４の負担が増大する問題がある。
【００１０】
本発明は、このような事情を考慮し、上記の問題を解決すべくなされたものであって、その目的は、移動体通信システムにおいて、任意のユーザ移動体端末の呼び出しの要求があった場合に、ＢＴＳから送信されるPaging信号の数を低減させ、Paging信号を送信する位置登録サーバやＢＴＳの負担を軽減できる位置登録装置、移動体通信システム、および移動体端末呼び出し方法を提供することにある。
【課題を解決するための手段】
【００１１】
上記課題を解決するため、本発明に係る位置登録装置は、第１のエリアに存在する不特定のユーザ移動体端末と無線通信を行う複数の第１の無線基地局、および、第２のエリアに存在する特定のユーザ移動体端末と無線通信を行う複数の第２の無線基地局とネットワークを介して接続されるインタフェースと、前記インタフェースを介して、任意のユーザ移動体端末を呼び出す呼び出し要求信号を受信する呼び出し要求受信部と、前記ユーザ移動体端末から前記インタフェースを介して受信した位置登録信号に含まれる報知情報に基づき、前記第１のエリアと前記第２のエリアを含む位置登録エリアから、前記位置登録信号を送信する前記ユーザ移動体端末の識別子情報を記憶する位置登録エリア憶部と、前記第２の無線基地局の識別子情報と、当該第２の無線基地局と無線通信を行う前記特定のユーザ移動体端末の識別子情報とを関連付けて記憶する第２の無線基地局収容情報記憶部と、前記呼び出し要求受信部が前記呼び出し要求信号を受信した場合、前記呼び出し要求信号によって呼び出しが要求されている任意のユーザ移動体端末の識別子情報が、前記位置登録エリア記憶部に記憶されているか否かを判断し、前記位置登録エリア記憶部に記憶されている場合、当該ユーザ移動体端末の識別子情報が前記第２の無線基地局収容情報記憶部に記憶されているか否かを判断し、前記第２の無線基地局収容情報記憶部に当該ユーザ移動体端末の識別子情報が記憶されている場合、関連づけられている前記第２の無線基地局に当該任意のユーザ移動体端末を呼び出す呼び出し信号を送信する呼び出し信号送信部と、を備えることを特徴とする。
【００１２】
また、本発明に係る位置登録装置は、前記呼び出し信号送信部が、前記第２の無線基地局収容情報記憶部に、前記呼び出し要求信号によって呼び出しが要求されている任意のユーザ移動体端末の識別子情報が記憶されていない場合、前記第１の無線基地局の全てに対して当該ユーザ移動体端末を呼び出す呼び出し信号を送信することを特徴とする。
【００１３】
また、本発明に係る位置登録装置は、前記呼び出し信号送信部が、前記第２の無線基地局収容情報記憶部に、前記呼び出し要求信号によって呼び出しが要求されている任意のユーザ移動体端末の識別子情報が記憶されている場合、関連づけられている前記第２の無線基地局に当該任意のユーザ移動体端末を呼び出す呼び出し信号を送信すると共に、前記第１の無線基地局の全てに対して当該ユーザ移動体端末を呼び出す呼び出し信号を送信することを特徴とする。
【００１４】
また、本発明に係る位置登録装置は、前記第２のエリアが、前記特定のユーザ移動体端末がよく存在する場所であって、前記第２の無線基地局が、前記第２のエリアが指定され、予め使用が許可された特定のユーザ移動体端末とのみ、無線通信を行うことを特徴とする。
【００１５】
さらに、上記課題を解決するため、本発明に係る移動体通信システムは、第１のエリアに存在する不特定のユーザ移動体端末と無線通信を行う複数の第１の無線基地局と、第２のエリアに存在する特定のユーザ移動体端末と無線通信を行う複数の第２の無線基地局と、前記第１の無線基地局および前記第２の無線基地局とネットワークを介して接続される位置登録装置とを備え、前記位置登録装置が、前記第１の無線基地局および前記第２の無線基地局と前記ネットワークを介して接続されるインタフェースと、前記インタフェースを介して、任意のユーザ移動体端末を呼び出す呼び出し要求信号を受信する呼び出し要求受信部と、前記ユーザ移動体端末から前記インタフェースを介して受信した位置登録信号に含まれる報知情報に基づき、前記第１のエリアと前記第２のエリアを含む位置登録エリアから、前記位置登録信号を送信する前記ユーザ移動体端末の識別子情報を記憶する位置登録エリア記憶部と、前記第２の無線基地局の識別子情報と、当該第２の無線基地局と無線通信を行う前記特定のユーザ移動体端末の識別子情報とを関連付けて記憶する第２の無線基地局収容情報記憶部と、前記呼び出し要求受信部が前記呼び出し要求信号を受信した場合、前記呼び出し要求信号によって呼び出しが要求されている任意のユーザ移動体端末の識別子情報が、前記位置登録エリア記憶部に記憶されているか否かを判断し、前記位置登録エリア記憶部に記憶されている場合、当該ユーザ移動体端末の識別子情報が前記第２の無線基地局収容情報記憶部に記憶されているか否かを判断し、前記第２の無線基地局収容情報記憶部に当該ユーザ移動体端末の識別子情報が記憶されている場合、関連づけられている前記第２の無線基地局に当該任意のユーザ移動体端末を呼び出す呼び出し信号を送信する呼び出し信号送信部と、を備えることを特徴とする。
【００１６】
また、上記課題を解決するため、本発明は、第１のエリアに存在する不特定のユーザ移動体端末と無線通信を行う複数の第１の無線基地局と、第２のエリアに存在する特定のユーザ移動体端末と無線通信を行う複数の第２の無線基地局と、ネットワークを介して接続される位置登録装置における移動体端末呼び出し方法であって、前記位置登録装置の呼び出し要求受信部が、任意のユーザ移動体端末を呼び出す呼び出し要求信号を受信し、前記位置登録装置の位置登録エリア記憶部が、前記ユーザ移動体端末から受信した位置登録信号に含まれる報知情報に基づき、前記第１のエリアと前記第２のエリアを含む位置登録エリアから、前記位置登録信号を送信する前記ユーザ移動体端末の識別子情報を記憶し、前記位置登録装置の第２の無線基地局収容情報記憶部が、前記第２の無線基地局の識別子情報と、当該第２の無線基地局と無線通信を行う前記特定のユーザ移動体端末の識別子情報とを関連付けて記憶し、前記位置登録装置の前記呼び出し信号送受信部が、前記呼び出し要求受信部が前記呼び出し要求信号を受信した場合、前記呼び出し要求信号によって呼び出しが要求されている任意のユーザ移動体端末の識別子情報が、前記位置登録エリア記憶部に記憶されているか否かを判断し、前記位置登録エリア記憶部に記憶されている場合、当該ユーザ移動体端末の識別子情報が前記第２の無線基地局収容情報記憶部に記憶されているか否かを判断し、前記第２の無線基地局収容情報記憶部に当該ユーザ移動体端末の識別子情報が記憶されている場合、関連づけられている前記第２の無線基地局に当該任意のユーザ移動体端末を呼び出す呼び出し信号を送信することを特徴とする。
【発明の効果】
【００１７】
本発明に係る位置登録装置は、ユーザ移動体端末の呼び出しの要求があった場合に、ＢＴＳから送信されるPaging信号の数を低減させ、Paging信号を送信する位置登録装置やＢＴＳの負担を軽減できる。
【図面の簡単な説明】
【００１８】
【図１】本実施の形態に係る移動体通信システムの一例を示す概略図である。
【図２】図１に示す移動体通信システムの一例を説明するための概略図である。
【図３】本実施の形態に係る位置登録サーバの構成の一例を示すブロック図である。
【図４】図３に示す位置登録サーバの位置登録エリア記憶部に記憶されている情報の一例を示す概略図である。
【図５】図３に示す位置登録サーバの小型ＢＴＳ収容情報記憶部に記憶されている情報の一例を示す概略図である。
【図６】本実施の形態に係る位置登録サーバの呼び出し信号送信処理の一例を説明するためのフローチャートである。
【図７】本実施の形態に係る位置登録サーバの呼び出し応答受信処理の一例を説明するためのフローチャートである。
【図８】本実施の形態に係る位置登録サーバの呼び出し応答待ちタイムアウト処理の一例を説明するためのフローチャートである。
【図９】本実施の形態に係る移動体通信システムの通信方法の一例を説明するための概略図である。
【図１０】本実施の形態に係る移動体通信システムの通信方法の一例を説明するための概略図である。
【図１１】本実施の形態に係る位置登録サーバの呼び出し信号送信処理の他の例を説明するためのフローチャートである。
【図１２】本実施の形態に係る位置登録サーバの呼び出し応答待ちタイムアウト処理の他の例を説明するためのフローチャートである。
【図１３】従来例を説明する概略図である。
【図１４】従来例を説明する概略図である。
【発明を実施するための形態】
【００１９】
［第１の実施形態］
次に、発明を実施するための最良の形態について図面を参照して詳細に説明する。
図１は、本実施の形態に係る移動体通信システムの一例を示す概略図である。図２は、図１に示す移動体通信システムの一例を説明するための概略図である。
【００２０】
図１に示す通り、移動体通信システム１００は、位置登録サーバ（位置登録装置）１と、ＢＴＳ制御装置（基地局制御装置）２と、複数のマクロＢＴＳ（第１の基地局）３Ｎ、複数の小型ＢＴＳ（第２の基地局）４Ｍ、コアネットワーク５とを備える。
本実施の形態では、例えば、位置登録サーバ１が、ユーザ移動体端末ＵＥ１によって送信された呼び出し要求信号に基づき、位置登録エリア６内に存在するユーザ移動体端末ＵＥ２を呼び出す場合をついて説明する。なお、図１、２では、位置登録エリア６が1つの例について説明するが、この位置登録エリア６は、図１３に示すように複数のＢＴＳ制御装置によって管理される複数の位置登録エリアのうちの1つである。また、ユーザ移動体端末とは、ユーザが移動体通信を行うための端末であって、例えば携帯電話等、ユーザと共に持ち運ばれる無線通信が可能な通信端末である。
ここで、呼び出し要求信号とは、呼び出し元のユーザ移動体端末ＵＥ１が、位置登録エリア６内に存在している任意の呼び出し対象であるユーザ移動体端末ＵＥ２との通信接続を、位置登録サーバ１に対して要求する信号である。
【００２１】
位置登録サーバ１は、ネットワーク５を介してＢＴＳ制御装置２と接続されており、ネットワーク５を介して任意のユーザ移動体端末から送信された呼び出し要求信号を受信する。位置登録サーバ１は、位置登録エリア記憶部（図３参照）に記録されている位置登録情報に基づき、マクロＢＴＳ３Ｎ、小型ＢＴＳ４Ｍと無線通信が可能なマクロセル７、小型セル８を含む位置登録エリア６に、ユーザ移動体端末ＵＥ２が存在するか否かを判断する。詳細については後述するが、位置登録サーバ１は、小型ＢＴＳ収容情報記憶部（図３参照）に記録されている小型ＢＴＳ収容情報に基づき、このユーザ移動体端末ＵＥ２が、位置登録エリア６内に存在すると判断された場合、小型ＢＴＳ４Ｍと無線通信が可能なユーザ移動体端末であるか否かの判断を行う。
位置登録サーバ１は、ユーザ移動体端末ＵＥ２が、小型ＢＴＳ収容情報記憶部に記録されている小型ＢＴＳ収容情報に基づき小型ＢＴＳ４Ｍの使用が許可されているユーザ移動体端末であると判断した場合は、ユーザ移動体端末ＵＥ２との無線通信を開始するための呼び出し信号（Paging信号）を生成する。また、位置登録サーバ１は、生成したPaging信号に、ユーザ移動体端末ＵＥ２の使用が許可されている小型ＢＴＳ４Ｍの識別子情報を付与して、ＢＴＳ制御装置２に送信する。
一方、位置登録サーバ１は、ユーザ移動体端末ＵＥ２が、小型ＢＴＳ４Ｍの使用が許可されていないユーザ移動体端末であると判断した場合、ユーザ移動体端末ＵＥ２のPaging信号に、マクロＢＴＳ３Ｎの識別子情報を付与して、ＢＴＳ制御装置２に出力する。
【００２２】
ＢＴＳ制御装置２は、ネットワーク５を介して位置登録サーバ１と接続され、位置登録サーバ１から送信されたPaging信号を受信する。ＢＴＳ制御装置２は、小型ＢＴＳ４Ｍの識別子情報が付与されたPaging信号を受信した場合、この識別子情報に基づき特定の小型ＢＴＳ４ＭにPaging信号を転送する。
一方、ＢＴＳ制御装置２は、マクロＢＴＳ３Ｎが付与されたPaging信号を受信した場合、図２に示す通り、全てのマクロＢＴＳ３ＮにPaging信号を転送する。
また、ＢＴＳ制御装置２は、後で詳細に説明するが、マクロＢＴＳ３Ｎあるいは小型ＢＴＳ４Ｍから、呼び出し応答信号、小型ＢＴＳ収容情報、あるいは位置登録信号を受信すると、ネットワーク５を介して位置登録サーバ１に転送する。
【００２３】
マクロＢＴＳ３Ｎは、不特定のユーザ移動体端末と無線通信を行う無線基地局装置（ Base Transceiver Station ）であって、複数のＢＴＳ３１、３２、・・・、３ｎを含む。各マクロＢＴＳ３Ｎは、それぞれ、無線通信が可能なエリアである複数のマクロセル７を位置登録エリア６内に有し、マクロセル７内に存在する任意のユーザ移動体端末と無線通信を行う。各マクロＢＴＳ３Ｎは、それぞれが有するマクロセル７に対して、各マクロＢＴＳ３Ｎに固有の報知情報Ｍ３Ｎを無線通信により送信する。マクロセル７内に存在するユーザ移動体端末がこの報知情報Ｍ３Ｎを受信すると、この報知情報Ｍ３Ｎを含む位置登録信号をマクロＢＴＳ３Ｎに送信し、マクロＢＴＳ３Ｎは、位置登録信号をＢＴＳ制御装置２に転送する。
また、マクロＢＴＳ３Ｎは、例えば、ユーザ移動体端末ＵＥ２のPaging信号をＢＴＳ制御装置２から受信した場合、受信したPaging信号を全てのマクロセル７に向けて無線通信により送信する。このとき、マクロセル７内にユーザ移動体端末ＵＥ２が存在する場合、ユーザ移動体端末ＵＥ２は、Paging信号を受信し、呼び出し応答信号を送信する。マクロＢＴＳ３Ｎは、ユーザ移動体端末ＵＥ２から呼び出し応答信号を受信した場合、受信した呼び出し応答信号をＢＴＳ制御装置２に転送する。
【００２４】
小型ＢＴＳ４Ｍは、小型の無線基地局装置であって、複数の小型ＢＴＳ４１、・・・、４ｍを含む。各小型ＢＴＳ４Ｍは、それぞれ、予め使用が許可されている特定のユーザ移動体端末との無線通信を行い、この特定のユーザ移動体端末のユーザと無線通信が可能なエリアである小型セル８を位置登録エリア６内に有する。各小型ＢＴＳ４Ｍは、例えば、各小型ＢＴＳ４Ｍに固有の報知情報Ｓ４Ｍを各小型セル８に存在するユーザ移動体端末に送信する。この報知情報Ｓ４Ｍを受信したユーザ移動体端末は、この報知情報Ｓ４Ｍを含む小型ＢＴＳ収容情報を小型ＢＴＳ４Ｍに送信し、小型ＢＴＳ４Ｍが、小型ＢＴＳ収容情報をＢＴＳ制御装置２に転送する。
なお、予め使用が許可されている特定のユーザ移動体端末とは、小型ＢＴＳ４Ｍとの無線通信が許可されているユーザ移動体端末であって、例えば、移動体通信システム１００を管理する管理者等によって、ユーザ移動体端末の使用が許可され、許可されたユーザ移動体端末が自身の識別子情報と、指定した小型ＢＴＳ４Ｍの識別子情報を含む小型ＢＴＳ収容情報を小型ＢＴＳ４Ｍに送信し、位置登録サーバ１に当該ユーザ移動体端末が登録されるユーザ移動体端末をいう。
このとき、小型ＢＴＳ４Ｍの使用の許可を求める特定のユーザ移動体端末は、当該ユーザ移動体端末がよく存在する場所、例えば、ユーザ移動体端末の持ち主であるユーザがよく居る場所が指定され、この指定された場所を小型セル８とする小型ＢＴＳ４Ｍの使用が許可される。このユーザがよく居る場所等は、ユーザによって指定されてもよく、ユーザ移動体端末のよく存在する場所を統計的に計算することによって算出し、位置登録サーバ１によって指定されてもよい。
【００２５】
ネットワーク５は、例えばコアネットワークであって、位置登録サーバ１とＢＴＳ制御装置２とを有線通信によって接続する。また、ネットワーク５は、他のＢＴＳ制御装置（図示せず）と位置登録サーバ１、あるいは一般固定電話（図示せず）と位置登録サーバ１とを接続し、他の位置登録エリア内に存在するユーザ移動体端末から送信された呼び出し要求信号や、一般固定電話から送信された呼び出し要求信号を、位置登録サーバ１に送信することができる。
【００２６】
位置登録エリア６は、ＢＴＳ制御装置２によって管理されるマクロＢＴＳ３Ｎの電波の届く範囲であるマクロセル７と、小型ＢＴＳ４Ｍの電波の届く範囲である小型セル８とを含む。
マクロセル７は、対応するマクロＢＴＳ３Ｎからの電波がユーザ移動体端末に届く範囲であって、マクロＢＴＳ３Ｎごとにエリアが規定されている。各マクロセル７は、例えば、異なるマクロＢＴＳ３Ｎのマクロセル７と互いに重なりあう部分を有し、マクロＢＴＳ３Ｎの電波の届く範囲を補い合っている。
【００２７】
小型セル８は、例えば、小型ＢＴＳ４Ｍの使用が許可された特定のユーザ移動体端末のユーザと、当該小型ＢＴＳ４Ｍとの無線通信が可能なエリアである。小型セル８は、位置登録エリア６内であって、例えば、マクロセル７と重なりあっている。
各小型セル８は、例えば、特定のユーザによってそれぞれ指定されるエリアであって、小型ＢＴＳ４Ｎと無線通信を行う特定のユーザ移動体端末がよく存在する場所として、例えば、自宅や会社、学校などが、小型ＢＴＳ４Ｎの小型セル８として予め指定されている。
【００２８】
次に、図３〜５を用いて、位置登録サーバ１の構成の一例について、図６、７を用いて、位置登録サーバ１の動作の一例について、詳細に説明する。図３は、図１に示す位置登録サーバの構成の一例を示すブロック図である。図４および図５は、図３に示す位置登録サーバ１に記憶されている情報の一例を示す概略図である。
図３に示す通り、位置登録サーバ１は、信号送受信インタフェース１１０と、位置登録・呼び出し処理部１２０とを含む。この位置登録・呼び出し処理部１２０は、呼び出し要求受信部１２１と、呼び出し信号送信部１２２と、位置登録エリア記憶部１２３と、小型ＢＴＳ収容情報記憶部（第２の無線基地局収容情報記憶部）１２４と、呼び出し応答待ちタイマ部１２５と、呼び出し応答受信部１２６と、小型ＢＴＳ収容情報受信部１２７と、位置登録情報受信部１２８とを含む。
【００２９】
信号送受信インタフェース１１０は、ネットワーク５を介してＢＴＳ制御装置２と接続されるインタフェースであって、位置登録・呼び出し処理部１２０とネットワーク５とのデータの送受信を行う。また、信号送受信インタフェース１１０は、例えば、マクロＢＴＳ３Ｎおよび小型ＢＴＳ４Ｍがユーザ移動体端末から受信した呼び出し要求信号を、ネットワーク５を介して受信する。
【００３０】
呼び出し要求受信部１２１は、信号送受信インタフェース１１０から出力された呼び出し要求信号を受信し、この受信した呼び出し要求信号を呼び出し信号送受信部１２２に出力する。
【００３１】
位置登録エリア記憶部１２３は、図４に示す通り、ユーザ移動体端末から送信される位置登録情報の報知情報に基づき、位置登録エリア６ごとに、ユーザ移動体端末の識別子情報を記憶する。例えば、位置登録サーバ１は、ユーザ移動体端末の識別子としては、ユーザ移動体端末の電話番号を利用し、位置登録エリア記憶部１２３には、ユーザ移動体端末ＵＥ２（ユーザ移動体端末識別子：090-2222-2222）と、ユーザ移動体端末ＵＥ３（ユーザ移動体端末識別子：090-3333-3333）と、ユーザ移動体端末ＵＥ４（ユーザ移動体端末識別子：090-4444-4444）とが、位置登録エリア６の報知情報を含む位置登録情報を送信したユーザ移動体端末であるとして、記憶されている。
【００３２】
小型ＢＴＳ収容情報記憶部１２４は、図５に示す通り、小型ＢＴＳ４Ｍとの無線通信が許可されている特定のユーザ移動体端末の識別子情報と、特定のユーザ移動体端末に対して予め指定されている小型ＢＴＳ４Ｍの識別子情報とが、それぞれ関連付けて記憶されている。
本実施の形態において、小型ＢＴＳ収容情報記憶部１２４には、小型ＢＴＳ４１の使用が許可されているユーザ移動体端末ＵＥ２（ユーザ移動体端末識別子：090-2222-2222）が、小型ＢＴＳ４１の識別子情報ＳＩ４１と関連付けて記憶され、また、小型ＢＴＳ４２の使用が許可されているユーザ移動体端末ＵＥ４（ユーザ移動体端末識別子：090-4444-4444）が、小型ＢＴＳ４２の識別子情報ＳＩ４２と関連付けて記憶されている。
【００３３】
呼び出し応答待ちタイマ部１２５は、呼び出し信号送信部１２２の指示により、オン／オフに切り替えられる応答待ちフラグ（マクロＢＴＳ向けPage応答待ちフラグと小型ＢＴＳ向けPage応答待ちフラグとを含む）と、時間を計測するタイマ部とを備える。呼び出し応答待ちタイマ部１２５は、応答待ちフラグがオンされると、この時から予め設定された応答待ち時間を計測し、応答待ち時間の経過が計測された場合は、応答待ち時間が経過した旨を呼び出し信号送信部１２２に通知する。呼び出し応答待ちタイマ部１２５は、応答待ち時間が経過した旨の通知を受けた呼び出し信号送信部１２２によって、応答待ちフラグがオフに切り替えられる。さらに、呼び出し応答待ちタイマ部１２５は、呼び出し応答受信部１２６によって、応答待ち時間の計測が中断された場合、応答待ち時間の計測が中断した旨を呼び出し信号送受信部１２２に通知する。
なお、マクロＢＴＳ向けPage応答待ちフラグとは、位置登録サーバ１からマクロＢＴＳ３Ｎに対してPaging信号が送信された際にオンされ、呼び出し応答待ちタイマ部１２５が応答待ち時間を計測している状態であることを表している。また、小型ＢＴＳ向けPage応答待ちフラグとは、位置登録サーバ１から小型ＢＴＳ４Ｍに対してPaging信号が送信された際にオンされ、呼び出し応答待ちタイマ部１２５が応答待ち時間を測定している状態であることを表している。
【００３４】
呼び出し応答受信部１２６は、位置登録サーバ１からPaging信号が出力され、このPaging信号に対応する呼び出し応答信号がユーザ移動体端末から送信されると、信号送受信インタフェース１１０を介してこの呼び出し応答信号を受信する。呼び出し応答受信部１２６は、呼び出し応答信号を受信すると、呼び出し応答待ちタイマ１２５による応答待ち時間の計測を中断させ、応答待ちフラグをオフに切り替える。
【００３５】
小型ＢＴＳ収容情報受信部１２７は、信号送受信インタフェース１１０から出力される小型ＢＴＳ収容情報が入力されると、この小型ＢＴＳ収容情報に含まれるユーザ移動体端末の識別子情報と、使用が許可されている小型ＢＴＳ４Ｍの識別子情報を関連付けて、小型ＢＴＳ収容情報記憶部１２４に記憶させる。
【００３６】
位置登録情報受信部１２８は、信号送受信インタフェース１１０から出力される位置登録信号が入力されると、位置登録信号に含まれる報知情報が位置登録エリア６に含まれるマスクセル７あるいは小型セル８においてユーザ移動体端末が受信する報知情報Ｍ３Ｎ、Ｓ４Ｍであるか否かを判断し、報知情報Ｍ３Ｎ、Ｓ４Ｍを含んでいた場合、位置登録信号に含まれるユーザ移動体端末の識別子情報を位置登録エリア記憶部１２３に記憶させる。
【００３７】
呼び出し信号送信部１２２は、（Ａ）呼び出し信号送信処理、（Ｂ）呼び出し応答受信処理、および（Ｃ）呼び出し応答待ちタイムアウト処理を実行する。
以下、図６〜８を用いて、（Ａ）〜（Ｃ）の処理について説明する。
図６は、（Ａ）呼び出し信号送信処理の一例を説明するフローチャートである。図６に示す通り、位置登録サーバ１は、信号送受信インタフェース１１０を介して呼び出し要求信号を受信すると、信号送受信インタフェース１１０がこの呼び出し要求信号を呼び出し要求受信部１２１に出力する。呼び出し要求受信部１２１は、呼び出し要求信号を呼び出し信号送信部１２２に出力する。これにより、呼び出し信号送受信部１２２は（Ａ）呼び出し信号送信処理を起動させる。
例えば、呼び出し信号送信部１２２は、呼び出し要求信号が入力されると、位置登録エリア記憶部１２３に記憶されているユーザ移動体端末の識別子情報を読み出し、呼び出し要求受信部１２１から入力された呼び出し要求信号に含まれるユーザ移動体端末ＵＥ２の識別子情報と比較し、呼び出しが要求されているユーザ移動体端末ＵＥ２の識別子情報が、位置登録エリア記憶部１２３から読み出した情報の中に存在するか否かを検出する（ステップＳＴ１）。すなわち、呼び出し信号送受信部１２２は、呼び出し要求信号によって呼び出しが要求されているユーザ移動体端末ＵＥ２が、位置登録サーバ１が管理する位置登録エリア６内に存在するか否かを判断する。
【００３８】
呼び出し信号送受信部１２２は、位置登録エリア記憶部１２３から読み出した情報に、ユーザ移動体端末ＵＥ２の識別子情報が含まれている場合、さらに、小型ＢＴＳ収容情報記憶部１２４に記憶されているユーザ移動体端末の識別子情報のうち、小型ＢＴＳ４Ｍの識別子情報と関連付けて記憶されているユーザ移動体端末の識別子情報を読み出す（ステップＳＴ２）。そして、呼び出し信号送受信部１２２は、小型ＢＴＳ収容情報記憶部１２４から読み出したユーザ移動体端末の識別子情報と、呼び出し要求信号に含まれているユーザ移動体端末ＵＥ２の識別子情報が一致するか否かを判断する（ステップＳＴ３）。すなわち、呼び出し信号送受信部１２２は、呼び出し要求信号によって呼び出しが要求されているユーザ移動体端末ＵＥ２が、位置登録サーバ１の小型ＢＴＳ４Ｍの使用が許可されている特定のユーザ移動体端末であるか否かを判断する。
【００３９】
呼び出し信号送受信部１２２は、ユーザ移動体端末ＵＥ２の識別子情報と関連付けられた小型ＢＴＳ４Ｍの識別子情報ＳＩ４１を検出した場合（ステップＳＴ３−ＹＥＳ）、呼び出し先情報としてユーザ移動体端末ＵＥ２の識別子情報を含む呼び出し信号を生成する。そして、呼び出し信号送受信部１２２は、小型ＢＴＳ収容情報記憶部１２４において、ユーザ移動体端末ＵＥ２の識別子情報と関連付けられている小型ＢＴＳ４１の識別子情報ＳＩ４１を送信先情報として呼び出し信号に付与し、信号送受信インタフェース１１０に出力する。信号送受信インタフェース１１０は、この送信先情報が付与された呼び出し信号を、Paging信号として、ネットワーク５を介してＢＴＳ制御装置２に送信する（ステップＳＴ４）。ＢＴＳ制御装置２は、Paging信号に付与されている小型ＢＴＳ４１の識別子情報に基づき、小型ＢＴＳ４１に１つのPaging信号を送信する。そして、小型ＢＴＳ４１は、小型セル８１に向かって無線通信により、１つのPaging信号を送信する。
【００４０】
呼び出し信号送受信部１２２は、ステップＳＴ４におけるPaging信号を出力すると、呼び出し応答待ちタイマ部１２５の小型ＢＴＳ向けPage応答待ちフラグをオンにして（ステップＳＴ５）、呼び出し応答待ちタイマ部１２５を起動し、呼び出し応答待ちタイマ部１２５に応答待ち時間の計測を開始させる（ステップＳＴ６）。
【００４１】
一方、ステップＳＴ３において、ユーザ移動体端末ＵＥ２の識別子情報と関連付けられた小型ＢＴＳ４Ｍの識別子情報が検出できなかった場合（ステップＳＴ３−ＮＯ）、呼び出し先情報としてユーザ移動体端末ＵＥ２の識別子情報を含む呼び出し信号に、送信先情報としてマクロＢＴＳ３Ｎの識別子情報を付与したPaging信号を、信号送受信インタフェース１１０を介して、ＢＴＳ制御装置２に送信する。これにより、ＢＴＳ制御装置２は、全てのマクロＢＴＳ３Ｎに対して、マクロＢＴＳ３Ｎの数だけPaging信号を送信する。そして、Paging信号を受信した全てのマクロＢＴＳ３Ｎは、マクロセル７の数だけのPaging信号を、マクロセル７に向けて無線通信により送信する（ステップＳＴ７）。
呼び出し信号送受信部１２２は、ステップＳＴ７でPaging信号を送信すると、呼び出し応答待ちタイマ部１２５のマクロＢＴＳ向けPage応答待ちフラグをオンにして（ステップＳＴ８）、呼び出し応答待ちタイマ部１２５を起動し、呼び出し応答待ちタイマ部１２５に応答待ち時間の計測を開始させる（ステップＳＴ９）。
【００４２】
次に、（Ｂ）呼び出し応答受信処理の一例について説明する。図７は、（Ｂ）呼び出し応答受信処理の一例を示すフローチャートである。図７に示す通り、呼び出し信号送受信部１２２は、（Ａ）呼び出し信号送信処理における、呼び出し応答待ちタイマ部１２５による応答待ち時間の計測が終了する以前に、信号送受信インタフェース１１０を介して、マクロＢＴＳ３Ｎあるいは小型ＢＴＳ４Ｍから、呼び出し応答信号を受信した場合、呼び出し応答待ちタイマ部１２５のオンされているマクロＢＴＳ向けPage応答待ちフラグ、あるいは、オンされている小型ＢＴＳ向けPage応答待ちフラグをオフする（ステップＳＴ２１）。
次いで、呼び出し信号送受信部１２２は、呼び出し応答信号に含まれるユーザ移動体端末の位置情報に基づき、ユーザ移動体端末ＵＥ２が存在するエリアを確認する（ステップＳＴ２２）。すなわち、呼び出し応答信号に所定のマクロセル７の識別子情報が含まれている場合、ユーザ移動体端末ＵＥ２は当該マクロセル７に存在し、呼び出し応答信号に小型セル８１の識別子情報が含まれている場合、ユーザ移動体端末ＵＥ２は小型セル８１に存在していることを確認する。
これにより、位置登録サーバ１は、呼び出し元であるユーザ移動体端末ＵＥ１と、呼び出し先であるユーザ移動体端末ＵＥ２との無線通信を確保し、継続呼接続処理を実行する（ステップＳＴ２３）。なお、継続呼接続処理とは、位置登録サーバ１が、無線通信が確保されたユーザ移動体端末間のデータ接続を無線通信によって継続する処理である。
【００４３】
次に、（Ｃ）呼び出し応答待ちタイムアウト処理の一例について説明する。図８は、（Ｃ）呼び出し応答待ちタイムアウト処理の一例を示すフローチャートである。図８に示す通り、（Ａ）呼び出し信号処理において、呼び出し応答待ちタイマ部１２５による応答待ち時間の計測が終了すると、呼び出し応答待ちタイマ部１２５は、待ち時間が経過した旨を呼び出し信号送受信部１２２に通知する。すると、呼び出し信号送受信部１２２は、呼び出し待ちタイマ部１２５のマクロＢＴＳ向けPage応答待ちフラグが、オン状態か否かを判断する（ステップＳＴ３１）。
マクロＢＴＳ向けPage応答待ちフラグがオン状態である場合（ステップＳＴ３１−ＹＥＳ）、呼び出し信号送受信部１２２は、ユーザ移動体端末ＵＥ２の呼び出しに失敗した旨（例えば、「呼び出し時間内に接続ができませんでした」や「電波の届かないところにいます」等）をユーザ移動体端末ＵＥ１に通知する（ステップＳＴ３３）。
【００４４】
一方、ステップＳＴ３１において、マクロＢＴＳ向けPage応答待ちフラグがオン状態でない場合（ステップＳＴ３１−ＮＯ）、呼び出し待ちタイマ部１２５の小型ＢＴＳ向けPage応答待ちフラグはオフ状態であり（ステップＳＴ３４）、呼び出し先情報としてユーザ移動体端末ＵＥ２の識別子情報を含む呼び出し信号に、マクロＢＴＳ３Ｎを送信先情報として付与したPaging信号を、信号送受信インタフェース１１０に出力する。信号送受信インタフェース１１０は、このPaging信号を、ネットワーク５を介してＢＴＳ制御装置２に送信する。これにより、ＢＴＳ制御装置２は、Paging信号を全てのマクロＢＴＳ３Ｎに対して転送し、マクロＢＴＳ３Ｎは、位置登録エリア６内の全てのマクロセル７に対して、Paging信号を送信する（ステップＳＴ３５）。
呼び出し信号送受信部１２２は、ステップＳＴ３５において全てのマクロＢＴＳ３ＮにPaging信号を出力すると、呼び出し応答待ちタイマ部１２５のマクロＢＴＳ向けPage応答待ちフラグをオンにして（ステップＳＴ３６）、呼び出し応答待ちタイマ部１２５を起動し、呼び出し応答待ちタイマ部１２５応答待ち時間の計測を開始させる（ステップＳＴ３７）。
【００４５】
次に、図９、１０を用いて、本実施の形態に係る移動体通信システムの通信方法の一例について説明する。以下、小型ＢＴＳ４１の使用が許可されている特定のユーザ移動体端末ＵＥが、指定する小型ＢＴＳ４１の小型セル８１内に存在している場合と、存在していない場合に分けて、それぞれ説明する。
【００４６】
図９は、小型ＢＴＳ４Ｍの使用が許可されている特定のユーザ移動体端末が、指定する小型ＢＴＳ４Ｍの小型セル８内に存在している場合の通信方法の一例について説明する概略図である。以下、小型ＢＴＳ４１の使用が許可されたユーザ移動体端末ＵＥ２が、指定した小型セル８１内に存在する場合を例に説明する。
図９に示す通り、小型ＢＴＳ４１と特定のユーザ移動体端末ＵＥ２との無線通信が、予め許可されている場合、小型ＢＴＳ４１と、ＢＴＳ制御装置２およびネットワーク５を介して位置登録サーバ１との有線通信が接続される（ステップＳＴ４１）。そして、小型ＢＴＳ４１は、使用が許可されているユーザ移動体端末ＵＥ２の識別子情報、および小型ＢＴＳ４１自身の識別子情報を、小型ＢＴＳ収容情報として、位置登録サーバ１に送信する（ステップＳＴ４２）。
小型ＢＴＳ収容情報を受信した位置登録サーバ１は、小型ＢＴＳ４１の使用が許可されたユーザ移動体端末として、ユーザ移動体端末ＵＥ２の識別子情報を小型ＢＴＳ収容情報記憶部１２４に登録し、小型ＢＴＳ４１の識別子情報とを関連付けて記憶させる（ステップＳＴ４３）。
【００４７】
ここで、位置登録サーバ１が、信号送受信インタフェース１１０を介して呼び出し要求信号を受信すると、呼び出し要求受信部１２１が呼び出し要求信号を呼び出し信号送受信部１２２に出力し、（Ａ）呼び出し信号送信処理を起動させる。これにより、呼び出し信号送受信部１２２は、位置登録エリア記憶部１２３に記憶されているユーザ移動体端末の識別子情報と、呼び出し要求信号に含まれる呼び出し先のユーザ移動体端末ＵＥ２の識別子情報が一致するか否かを判断する。これらが一致する場合、呼び出し信号送受信部１２２は、小型ＢＴＳ収容情報記憶部１２４に記憶されているユーザ移動体端末の識別子情報と、このユーザ移動体端末の識別子情報と関連付けられた小型ＢＴＳ４１の識別子情報を検出する。これらが検出された場合、ユーザ移動体端末ＵＥ２の識別子情報を含むPaging信号を小型ＢＴＳ４１に送信する（ステップＳＴ４５）。また、位置登録サーバ１は、Paging信号を送信すると同時に、呼び出し応答待ちタイマ部１２５の小型ＢＴＳ向けPage応答待ちフラグをオンにして、呼び出し応答待ちタイマ部１２５を起動させ、呼び出し応答待ちタイマ部１２５に応答待ち時間の計測を開始させる（ステップＳＴ４６）。
【００４８】
Paging信号を受信した小型ＢＴＳ４１は、Paging信号を無線通信のための信号に変換し、小型セル８１内に送信する（ステップＳＴ４７）。これにより、小型セル８１内に存在するユーザ移動体端末ＵＥ２が、Paging信号を受信する。Paging信号を受信したユーザ移動体端末ＵＥ２は、自身の識別子情報と、自身が存在する位置情報を含む呼び出し応答信号を、小型ＢＴＳ４１に送信し（ステップＳＴ４８）、この呼び出し応答信号を受信した小型ＢＴＳ４１は、呼び出し応答信号を有線通信のための信号に変換し、ネットワーク５を介して位置登録サーバ１に送信する（ステップＳＴ４９）。
【００４９】
位置登録サーバ１は、呼び出し応答待ちタイマ部１２５によって応答待ち時間の計測が終了する以前に、呼び出し応答信号を受信した場合、（Ｂ）呼び出し応答受信処理を実行する。すなわち、位置登録サーバ１は、呼び出し応答信号に基づき、ユーザ移動体端末ＵＥ２が存在する位置情報を検出し、ユーザ移動体端末ＵＥ１とユーザ移動体端末ＵＥ２との無線通信を確保し、継続呼接続処理を実行する。そして、位置登録サーバ１は、呼び出し応答待ちタイマ部１２５の小型ＢＴＳ向けPage応答待ちフラグをオフにして、呼び出し応答待ちタイマ部１２５による応答待ち時間の計測を停止させる（ステップＳＴ５０）。
【００５０】
次に、図１０を用いて、小型ＢＴＳ４１の使用が許可されている特定のユーザ移動体端末ＵＥ４が、指定する小型ＢＴＳ４２の小型セル８２内に存在していない場合について説明する。図１０は、小型ＢＴＳ４Ｍの使用が許可されている特定のユーザ移動体端末が、指定する小型ＢＴＳ４Ｍの小型セル８内に存在していない場合の通信方法の一例について説明する概略図である。
図１０に示す通り、小型ＢＴＳ４２と特定のユーザ移動体端末ＵＥ４との無線通信が、予め許可されている場合、小型ＢＴＳ４２と、ＢＴＳ制御装置２およびネットワーク５を介して位置登録サーバ１との有線通信が接続される（ステップＳＴ６１）。そして、小型ＢＴＳ４２は、使用が許可されているユーザ移動体端末ＵＥ４の識別子情報、および、小型ＢＴＳ４２自身の識別子情報を、小型ＢＴＳ収容情報として、位置登録サーバ１に送信する（ステップＳＴ６２）。
小型ＢＴＳ収容情報を受信した位置登録サーバ１は、小型ＢＴＳ４２の使用が許可されたユーザ移動体端末として、ユーザ移動体端末ＵＥ４の識別子情報を小型ＢＴＳ収容情報記憶部１２４に登録し、小型ＢＴＳ４２の識別子情報とを関連付けて記憶させる（ステップＳＴ６３）。
【００５１】
ここで、位置登録サーバ１が、信号送受信インタフェース１１０を介して呼び出し要求信号を受信すると、呼び出し要求受信部１２１が呼び出し要求信号を呼び出し信号送受信部１２２に出力し、（Ａ）呼び出し信号送信処理を起動させる。これにより、呼び出し信号送受信部１２２は、位置登録エリア記憶部１２３に記憶されているユーザ移動体端末の識別子情報と、呼び出し要求信号に含まれる呼び出し先のユーザ移動体端末ＵＥ４の識別子情報が一致するか否かを判断する。これらが一致する場合、呼び出し信号送受信部１２２は、小型ＢＴＳ収容情報記憶部１２４に記憶されているユーザ移動体端末ＵＥ４の識別子情報と、関連付けられた小型ＢＴＳ４２の識別子情報があるか否かを検出する。これらが検出された場合、ユーザ移動体端末ＵＥ４の識別子情報を含むPaging信号を、小型ＢＴＳ収容情報記憶部１２４においてユーザ移動体端末ＵＥ４と関連付けて記憶されている小型ＢＴＳ４２に送信する（ステップＳＴ６５）。
また、位置登録サーバ１は、Paging信号を送信すると同時に、呼び出し応答待ちタイマ部１２５の小型ＢＴＳ向けPage応答待ちフラグをオンにして、呼び出し応答待ちタイマ部１２５を起動させ、呼び出し応答待ちタイマ部１２５に応答待ち時間の計測を開始させる（ステップＳＴ６６）。
【００５２】
Paging信号を受信した小型ＢＴＳ４２は、Paging信号を無線通信のための信号に変換し、小型セル８２内に送信する（ステップＳＴ６７）。しかし、ユーザ移動体端末ＵＥ４は、小型セル８２内に存在しないためこのPaging信号を受信せず、呼び出し応答信号も送信しない。このため、呼び出し応答待ちタイマ部１２５は、応答待ち時間の満了を計測し（ステップＳＴ６８）、応答待ち時間が終了した旨を呼び出し信号送受信部１２２に通知する。
呼び出し信号送受信部１２２は、応答待ち時間が終了した旨の通知を受けると、ユーザ移動体端末ＵＥ４の識別子情報を含むPaging信号をマクロＢＴＳ３Ｎに送信する（ステップＳＴ６９）。そして、呼び出し信号送受信部１２２は、呼び出し応答待ちタイマ部１２５の小型ＢＴＳ向けPage応答待ちフラグをオフにすると共に、マクロＢＴＳ向けPage応答待ちフラグをオンにして、呼び出し応答待ちタイマ部１２５に応答待ち時間の計測を開始させる。
【００５３】
Paging信号を受信した全てのマクロＢＴＳ３Ｎは、Paging信号を無線通信のための信号に変換し、全てのマクロセル７内に発信することで、位置登録エリア６内に存在するユーザ移動体端末ＵＥ４が、Paging信号を受信する（ステップＳＴ７０）。Paging信号を受信したユーザ移動体端末ＵＥ４は、自身の識別子情報と、自身が存在する位置情報を含む呼び出し応答信号を、マクロＢＴＳ３Ｎに送信し（ステップＳＴ７１）、この呼び出し応答信号を受信したマクロＢＴＳ３Ｎは、呼び出し応答信号を有線通信のための信号に変換し、ネットワーク５を介して位置登録サーバ１に送信する（ステップＳＴ７２）。
【００５４】
位置登録サーバ１は、呼び出し応答待ちタイマ部１２５によって応答待ち時間の計測が終了する以前に、呼び出し応答信号を受信した場合、（Ｂ）呼び出し応答受信処理を実行する。すなわち、位置登録サーバ１は、呼び出し応答信号に基づき、ユーザ移動体端末ＵＥ４が存在する位置情報を検出し、ユーザ移動体端末ＵＥ１とユーザ移動体端末ＵＥ４との無線通信を確保し、継続呼接続処理を実行する。そして、位置登録サーバ１は、呼び出し応答待ちタイマ部１２５のマクロＢＴＳ向けPage応答待ちフラグをオフにして、呼び出し応答待ちタイマ部１２５による応答待ち時間の計測を終了させる（ステップＳＴ７３）。
【００５５】
上述の通り、本実施の形態に係る移動体通信システム１００は、小型ＢＴＳ４Ｍの使用が予め許可されたユーザ移動体端末を呼び出す呼び出し要求信号が入力された場合、位置登録サーバ１が、小型ＢＴＳ収容情報記憶部１２４に当該ユーザ移動体端末と関連付けられた小型ＢＴＳ４Ｍの識別子情報が記憶されているか否かを検出し、小型ＢＴＳ収容情報記憶部１２４の記憶情報において小型ＢＴＳ４Ｍの小型セル８内に存在していると判断された場合、該当する小型ＢＴＳ４ＭにのみPaging信号を送信することを特徴としている。
このため、呼び出されたユーザ移動体端末が、小型ＢＴＳ４Ｍの使用が予め許可されたものであって、Paging信号が送信された際に対応する小型セル８内に存在する場合、移動体通信システム１００では、小型ＢＴＳ４ＭからのみPaging信号を送信すればよいため、位置登録サーバ１、マクロＢＴＳ３Ｎおよび小型ＢＴＳ４Ｍが送信するPaging信号の数を低減させ、位置登録サーバ１やマクロＢＴＳ３Ｎおよび小型ＢＴＳ４Ｍの負担を軽減することができる。
【００５６】
例えば、本実施の形態に係る移動体通信システム１００と同様に、複数のマクロＢＴＳ３Ｎおよび複数の小型ＢＴＳ４Ｍを備える構成において、位置登録エリア６内のユーザ移動体端末に対してPaging信号を送信する場合、上述のような小型ＢＴＳ４Ｍ内に存在するユーザ移動体端末の位置情報を小型ＢＴＳ収容情報記憶部１２４において管理せず、小型ＢＴＳ４ＭへのPaging信号の送信を優先しない構成とすると、全てのマクロＢＴＳ３Ｎおよび小型ＢＴＳ４Ｍから全てのマクロセル７および小型セル８に対してPaging信号を送信する必要がある。つまり、複数のマクロセル７の数が１０００セル、小型セル８の数が５００セルである場合、マクロＢＴＳ３Ｎおよび小型ＢＴＳ４Ｍは、全てのマクロセル７および小型セル８の１５００セルに対して、１５００個のPaging信号を送信する必要がある。
【００５７】
一方、本実施の形態に係る移動体通信システム１００は、小型ＢＴＳ４Ｍの小型セル８として、例えば、ユーザがよく居る自宅や職場等が設定されるため、当該ユーザ移動体端末が指定された小型セル８内に存在する確立は高く、例えば平均して２０％であった場合、マクロＢＴＳ３Ｎおよび小型ＢＴＳ４Ｍから送信されるPaging信号の数は次の通りとなる。つまり、特定のユーザ移動体端末が指定された小型セル８内に存在する場合、マクロＢＴＳ３Ｎから送信されるPaging信号は０個、小型ＢＴＳ４Ｍから送信されるPaging信号は１個である。また、特定のユーザ移動体端末が指定された小型セル８内に存在しない場合、マクロＢＴＳ３Ｎから送信されるPaging信号は１０００個、小型ＢＴＳ４Ｍから送信されるPaging信号は０個である。よって、マクロＢＴＳ３Ｎおよび小型ＢＴＳ４Ｍから送信されるPaging信号の合計は、「１＋１０００×０．８」を計算して８０１個となり、上述の１５００個と比べて、大幅にPaging信号の数を低減させることができる。
【００５８】
［第２の実施形態］
また、本実施の形態に係る移動体通信システムは、上記構成や動作に限られず、例えば、図１１、１２に示すような方法を利用するものであってもよい。
以下、図１１、１２を用いて他の実施の形態について説明する。
図１１は、（Ａ）呼び出し信号送信処理の他の例を説明するフローチャートである。図１１に示す通り、位置登録サーバ１は、信号送受信インタフェース１１０を介して呼び出し要求信号を受信すると、信号送受信インタフェース１１０がこの呼び出し要求信号を呼び出し要求受信部１２１に出力する。呼び出し要求受信部１２１は、呼び出し要求信号を呼び出し信号送信部１２２に出力する。これにより、呼び出し信号送受信部１２２は（Ａ’）呼び出し信号送信処理を起動させる。
例えば、呼び出し信号送信部１２２は、呼び出し要求信号が入力されると、位置登録エリア記憶部１２３に記憶されているユーザ移動体端末の識別子情報を読み出し、呼び出し要求受信部１２１から入力された呼び出し要求信号に含まれるユーザ移動体端末ＵＥ２の識別子情報と比較し、呼び出しが要求されているユーザ移動体端末ＵＥ２の識別子情報が、位置登録エリア記憶部１２３から読み出した情報に存在するか否かを検出する（ステップＳＴ７１）。
【００５９】
呼び出し信号送受信部１２２は、位置登録エリア記憶部１２３から読み出した情報に、ユーザ移動体端末ＵＥ２の識別子情報が含まれている場合、さらに、小型ＢＴＳ収容情報記憶部１２４に記憶されているユーザ移動体端末の識別子情報のうち、小型ＢＴＳ４Ｍの識別子情報と関連付けて記憶されているユーザ移動体端末の識別子情報を読み出す（ステップＳＴ７２）。そして、呼び出し信号送受信部１２２は、小型ＢＴＳ収容情報記憶部１２４から読み出したユーザ移動体端末の識別子情報と、呼び出し要求信号に含まれているユーザ移動体端末ＵＥ２の識別子情報が一致するか否かを判断する（ステップＳＴ７３）。
【００６０】
呼び出し信号送受信部１２２は、ユーザ移動体端末ＵＥ２の識別子情報と関連付けられた小型ＢＴＳ４Ｍの識別子情報ＳＩ４１を検出した場合（ステップＳＴ７３−ＹＥＳ）、呼び出し先情報としてユーザ移動体端末ＵＥ２の識別子情報を含む呼び出し信号を生成する。そして、呼び出し信号送受信部１２２は、小型ＢＴＳ収容情報記憶部１２４において、ユーザ移動体端末ＵＥ２の識別子情報と関連付けられている小型ＢＴＳ４１の識別子情報ＳＩ４１を送信先情報として呼び出し信号に付与し、信号送受信インタフェース１１０に出力する。信号送受信インタフェース１１０は、この送信先情報が付与された呼び出し信号を、Paging信号として、ネットワーク５を介してＢＴＳ制御装置２に送信する（ステップＳＴ４）。ＢＴＳ制御装置２は、Paging信号に付与されている小型ＢＴＳ４１の識別子情報に基づき、小型ＢＴＳ４１に１つのPaging信号を送信するとともに、全てのマクロＢＴＳ３ＮにマクロＢＴＳ３Ｎの数のPaging信号を送信する。これにより、小型ＢＴＳ４１は、小型セル８１に向けて、１つのPaging信号を送信し、全てのマクロＢＴＳ３Ｎは、全てのマクロセル７に向けて、マクロセル７の数だけPaging信号を送信する（ステップＳＴ７４）。
【００６１】
呼び出し信号送受信部１２２は、ステップＳＴ７４においてPaging信号を出力すると、呼び出し応答待ちタイマ部１２５の小型ＢＴＳ向けPage応答待ちフラグおよびマクロＢＴＳ向けPage応答待ちフラグをオンにして（ステップＳＴ７５）、呼び出し応答待ちタイマ部１２５を起動し、呼び出し応答待ちタイマ部１２５に応答待ち時間の計測を開始させる（ステップＳＴ６）。
【００６２】
一方、ステップＳＴ７３において、ユーザ移動体端末ＵＥ２の識別子情報と関連付けられた小型ＢＴＳ４Ｍの識別子情報が検出できなかった場合（ステップＳＴ７３−ＮＯ）、呼び出し先情報としてユーザ移動体端末ＵＥ２の識別子情報を含む呼び出し信号に、送信先情報としてマクロＢＴＳ３Ｎの識別子情報を付与したPaging信号を、信号送受信インタフェース１１０を介して、ＢＴＳ制御装置２に送信する。これにより、ＢＴＳ制御装置２は、全てのマクロＢＴＳ３Ｎに対して、マクロＢＴＳ３Ｎの数だけPaging信号を送信し、Paging信号を受信した全てのマクロＢＴＳ３Ｎは、マクロセル７の数だけPaging信号を送信する（ステップＳＴ７７）。
呼び出し信号送受信部１２２は、ステップＳＴ７７でPaging信号を出力すると、ステップＳＴ７５に移行して、呼び出し応答待ちタイマ部１２５のマクロＢＴＳ向けPage応答待ちフラグをオンにして、呼び出し応答待ちタイマ部１２５を起動し、呼び出し応答待ちタイマ部１２５に応答待ち時間の計測を開始させる。
【００６３】
次に、（Ｃ）呼び出し応答待ちタイムアウト処理の他の例について説明する。図１２は、（Ｃ）呼び出し応答待ちタイムアウト処理の他の例を示すフローチャートである。
図１１に示す通り、（Ａ’）呼び出し信号処理において、呼び出し応答待ちタイマ部１２５によって応答待ち時間の計測が終了すると、呼び出し応答待ちタイマ部１２５は、待ち時間が経過した旨を呼び出し信号送受信部１２２に通知する。すると、呼び出し信号送受信部１２２は、呼び出し待ちタイマ部１２５の小型ＢＴＳ向けPage応答待ちフラグおよびマクロＢＴＳ向けPage応答待ちフラグをオフにする（ステップＳＴ８１）。
そして、呼び出し信号送受信部１２２は、ユーザ移動体端末ＵＥ２の呼び出しに失敗したと判断し、呼び出し失敗処理として、例えば、「呼び出し時間内に接続ができませんでした」や「電波の届かないところにいます」等をユーザ移動体端末ＵＥ１に通知する（ステップＳＴ８２）。
なお、（Ｂ）呼び出し応答受信処理については、図７を用いて説明した処理と同様である。
【００６４】
上述の通り、本実施の形態に係る位置登録サーバ１は、小型ＢＴＳ４Ｍの使用が許可されているユーザ移動体端末に対してPaging信号を送信する場合、小型ＢＴＳ収容情報記憶部１２４に関連付けて記憶されている小型ＢＴＳ４Ｍに対して１つのPaging信号と、全てのマクロＢＴＳ３Ｎに対してマクロＢＴＳ３Ｎの数のPaging信号とを、同時に送信する。これにより、小型ＢＴＳ４Ｍの小型セル８内にユーザ移動体端末が存在しなかった場合、小型ＢＴＳ４ＭにPaging信号を送信し、呼び出し応答待ちタイマ部１２５によって応答待ち時間が終了するまで、次のマクロＢＴＳ３ＮへのPaging信号の送信を待つ必要がなく、ユーザ移動体端末から呼び出し応答信号を受信するまでの時間を短縮することができる。
【００６５】
なお、上述において、１つの位置登録エリア６を管理する位置登録サーバ１について説明したが、本発明はこれに限られず、例えば、位置登録サーバ１が、複数のＢＴＳ制御装置２と接続され、各ＢＴＳ制御装置２によって管理される複数の位置登録エリア６１、６２、・・・６Ｘの無線通信を管理する構成であってもよい。この場合、位置登録エリア記憶部１２３は、位置登録エリア６１〜６Ｘごとに、それぞれのＢＴＳ制御装置２が受信したユーザ移動体端末からの位置情報を記憶する。また小型ＢＴＳ収容情報記憶部１２４は、位置登録エリア６１〜６Ｘごとに、各位置登録エリア６１〜６Ｘ内の小型ＢＴＳ４Ｍと関係付けて、ユーザ移動体端末の識別子情報を記憶する。
また、本実施の形態において、予め使用が許可されている特定のユーザ移動体端末は、ユーザがよく居る場所として１ヶ所が指定され、１つの小型セル８が指定される例を用いて説明したが、本発明はこれに限られず、１つのユーザ移動体端末に対して、複数の小型セル８が指定されてもよい。
【符号の説明】
【００６６】
１  位置登録サーバ
２  ＢＴＳ制御装置
３Ｎ  ＢＴＳ
４Ｍ  小型ＢＴＳ
５  ネットワーク
６  位置登録エリア
７  マクロセル
８  小型セル
１００  移動体通信システム
１１０  信号送受信インタフェース
１２０  位置登録・呼び出し処理部
１２１  呼び出し要求受信部
１２２  呼び出し信号送受信部
１２３  位置登録エリア記憶部
１２４  小型ＢＴＳ収容情報記憶部
１２５  呼び出し応答待ちタイマ部
１２６  呼び出し応答受信部
１２７  小型ＢＴＳ収容情報受信部
１２８  位置登録受信部
【図１】
2010166427.tif 000003
【図２】
2010166427.tif 000004
【図３】
2010166427.tif 000005
【図４】
2010166427.tif 000006
【図５】
2010166427.tif 000007
【図６】
2010166427.tif 000008
【図７】
2010166427.tif 000009
【図８】
2010166427.tif 000010
【図９】
2010166427.tif 000011
【図１０】
2010166427.tif 000012
【図１１】
2010166427.tif 000013
【図１２】
2010166427.tif 000014
【図１３】
2010166427.tif 000015
【図１４】
2010166427.tif 000016